(57)【特許請求の範囲】
【請求項１】
表面を含む蒸気生成チャンバと、
前記表面に送られる水が蒸気に変換されるよう前記表面を加熱するヒータと、
開口を有するスケール収集チャンバとを含む、
手持ち式の衣類スチーマであって、
前記表面及び前記開口は、
ａ）当該衣類スチーマが、第１の向き、即ち、前記表面が前記開口から離れる方向に下向きに延びる第１の向きにあるときに、前記表面に送られる水が、前記開口から離れる方向に流れて、前記表面から蒸発させられ、且つ
ｂ）当該衣類スチーマが、第２の向き、即ち、前記表面が前記開口に向かって下向きに延びる第２の向きにあるときに、前記表面から除去されるスケールが、前記開口を通じて前記スケール収集チャンバ内に入るように、
互いに対して位置付けられ且つ構成され、
前記スケール収集チャンバは、前記第１の向き及び前記第２の向きの両方において前記蒸気生成チャンバの下方に配置される、
手持ち式の衣類スチーマ。
【請求項２】
衣類を処理する処理面を含み、該処理面は、前記表面から約４５度〜約１６５度の間の任意の角度にある、請求項１に記載の手持ち式の衣類スチーマ。
【請求項３】
衣類に向かう蒸気の噴出のための蒸気通孔と、前記蒸気生成チャンバを前記蒸気通孔に接続する蒸気流路とを含む、請求項１又は２に記載の手持ち式の衣類スチーマ。
【請求項４】
前記蒸気流路は、曲がりくねっている、請求項３に記載の手持ち式の衣類スチーマ。
【請求項５】
前記ヒータと前記蒸気流路の壁とを連結する中間区画を更に含み、該中間区画は、前記ヒータから前記蒸気流路の前記壁に熱を伝えるように構成される、請求項３又は４に記載の手持ち式の衣類スチーマ。
【請求項６】
前記蒸気流路は、前記蒸気生成チャンバからの蒸気の通過のための孔を含み、該孔は、前記第１の向き及び前記第２の向きにおいて前記スケール収集チャンバへの前記開口の上方に離間させられる、請求項２乃至５のうちのいずれか１項に記載の手持ち式の衣類スチーマ。
【請求項７】
前記蒸気流路は、前記スケール収集チャンバへの前記開口の上で前記蒸気生成チャンバ内に突出し、前記蒸気流路は、前記孔が設けられる端面で終端する、請求項６に記載の手持ち式の衣類スチーマ。
【請求項８】
前記スケール収集チャンバは、前記表面の一端に配置される、請求項１乃至７のうちのいずれか１項に記載の手持ち式の衣類スチーマ。
【請求項９】
前記スケール収集チャンバは、前記スケール収集チャンバ内に収集されるスケールを捕捉して、当該衣類スチーマが前記第１の向きと前記第２の向きとの間で傾けられるときに、スケールが前記スケール収集チャンバから漏れ出すのを防止するように構成される、請求項１乃至８のうちのいずれか１項に記載の手持ち式の衣類スチーマ。
【請求項１０】
前記スケール収集チャンバは、前記スケール収集チャンバ内に収集されるスケールが前記スケール収集チャンバから漏れ出すのを防止する障壁要素を含む、請求項９に記載の手持ち式の衣類スチーマ。
【請求項１１】
前記スケール収集チャンバは、取り外し可能である、請求項１乃至１０のうちのいずれか１項に記載の手持ち式の衣類スチーマ。
【請求項１２】
前記表面に水を送る水入口を含む、請求項１乃至１１のうちのいずれか１項に記載の手持ち式の衣類スチーマ。
【請求項１３】
内蔵される貯水槽を含む、請求項１２に記載の手持ち式の衣類スチーマ。
【請求項１４】
前記貯水槽から前記水入口に水を導くポンプを含む、請求項１３に記載の手持ち式の衣類スチーマ。
【請求項１５】
請求項１乃至１２のうちのいずれか１項に記載の手持ち式の衣類スチーマと、
蒸気処理されるべき衣類を掛けるスタンドと、
蒸気への変換のために前記手持ち式の衣類スチーマに水を供給する貯水槽とを含む、
衣類蒸気処理システム。
【発明の詳細な説明】
【技術分野】
【０００１】
本発明は、手持ち式の衣類スチーマ(garment  steamer)に関する。本発明は、手持ち式の衣類スチーマを含む衣類蒸気処理システム(garment  steaming  system)にも関する。
【背景技術】
【０００２】
衣服(clothing)及び寝具(bedding)のような衣類(garments)及び布地(fabric)から皺(creases)を除去するために、衣類蒸気処理システムが使用される。一般的には、衣類蒸気処理システムは、貯水槽及び蒸気生成チャンバを有する、本体又はベースユニットと、手持ち式の衣類スチーマと、ベースユニットを手持ち式の衣類スチーマに接続するホースとを含む。
【０００３】
水はベースユニット内の貯水槽から蒸気生成チャンバ内に送られ、水は蒸気生成チャンバ内で蒸気（スチーム）に変換される。次に、蒸気は、ホースを通じて手持ち式の衣類スチーマに移され、皺の効果的な除去を得ようとして布地上に出る。しかしながら、ベースユニット内で生成される蒸気は、しばしば、蒸気生成チャンバからの移動の途中で凝縮して水を形成する。これは凝縮水が衣類に滴り落ちる原因となることがある。
【０００４】
蒸気発生チャンバから衣類への蒸気経路の長さを減少させるために、蒸気生成チャンバを手持ち式の衣類スチーマ内に配置することが知られている。しかしながら、そのような蒸気生成チャンバは、ベースユニット内に配置されるものよりも小さくなければならず、水道水が硬質な国では、蒸気生成チャンバがスケール(湯垢)(scale)で一杯になることの故に、そのような蒸気生成チャンバの動作寿命は短い。貯水槽が手持ち式の衣類スチーマ内に配置されてよいことも知られている。
【０００５】
蒸気生成面上のスケールの堆積は、加熱要素を蒸気生成チャンバ内の水から絶縁し、それは蒸発を妨げる。加熱要素の絶縁は、加熱要素を過熱させて破損させることがある。更に、手持ち式の衣類スチーマが蒸気処理ストロークの開始から蒸気処理ストロークの終了に向かって移動させられるときに、スケールが蒸気生成チャンバから蒸気と共に出ることがある。
【０００６】
公表された米国特許第５，３４５，７０４Ａ号は、ケーシングを含む電気スチームアイロンを記載しており、ケーシングの後部は、電気抵抗によって加熱される底部(sole)及び踵部(heel)を提供し、２つの位置、即ち、それが底部に位置するアイロン掛け位置又はそれが踵部に位置する休止位置のいずれかを占めるように構成される。底部は、閉鎖板と共に蒸発チャンバを形成する仕切を有し、蒸発チャンバには貯槽から水が供給され、蒸発チャンバは、一方では、外向きに開口する蒸気分配開口を有する蒸気分配チャンバと連通し、他方では、アイロンの後方に開口し且つ取り外し可能に取り付けられる閉鎖部によって閉塞される、いわゆるスケーリング除去開口を含む。閉鎖部は、堰によって蒸発チャンバと連通する石灰化堆積物を回収するための取り外し可能な容器であるので、蒸発チャンバ内に存在する石灰化堆積物は、特にアイロンがその休止位置を占めるときに、容器内に入る。
【発明の概要】
【発明が解決しようとする課題】
【０００７】
上述の問題の１つ又はそれよりも多くを実質的に緩和し或いは克服する手持ち式の衣類スチーマを提供することが本発明の目的である。
【課題を解決するための手段】
【０００８】
本発明は、独立項によって定められる。従属項は、有利な実施形態を定める。
【０００９】
本発明によれば、表面を含む蒸気生成チャンバと、表面に送られる水が蒸気に変換されるよう表面を加熱するヒータと、開口を有するスケール収集チャンバとを含む、手持ち式の衣類スチーマが提供され、表面及び開口は、衣類スチーマが、表面が開口から離れる方向に下向きに延びる第１の向きにあるときに、表面に送られる水が、開口から離れる方向に流れて、表面から蒸発させられ、且つ、衣類スチーマが、表面が開口に向かって下向きに延びる第２の向きにあるときに、表面から除去される(dislodged)スケール(湯垢)(scale)が、開口を通じてスケール収集チャンバ内に落ちるように、互いに対して位置付けられ且つ構成される。スケール収集チャンバは、第１の向き及び第２の向きの両方において蒸気生成チャンバの下方に配置される。
【００１０】
この解決策を用いるならば、表面に送られる水の全て又は殆どを第１の向きにおいて蒸発させることができる。第１の向きにおいて表面に送られる水の全てが蒸発させられない場合には、手持ち式の衣類スチーマが第２の向きを取るときに、残余の蒸発させられていない水を蒸発させることができる。よって、この解決策は、蒸気への水の効率的な変換を可能にする。この解決策は、表面から除去されるスケールを収集することも可能にする。手持ち式の衣類スチーマが第２の向きに移動させられると、実質的にスケールのみが又は主としてスケールがスケール収集チャンバに入ることがある。これは蒸気生成チャンバの寿命を延ばすことに寄与する。
【００１１】
１つの実施形態において、開口は、表面にある。他の実施形態において、開口は、蒸気生成チャンバの側壁にある。好ましくは、手持ち式の衣類スチーマは、衣類を処置する処理面を更に含む。処理面は、表面から約４５度〜（約）１３５度の間の、好ましくは約９０度〜約１３０度の間の任意の角度にある。
【００１２】
任意的に、処理面は、衣類に向かって蒸気を噴出するための１つ又はそれよりも多くの蒸気通孔を更に含んでよい。
【００１３】
従って、蒸気生成チャンバ内で生成される蒸気を使用して衣類から皺を効果的に除去することができる。
【００１４】
好ましくは、器具は、蒸気生成チャンバ及び蒸気通孔を連結する又は接続する蒸気流路を含んでよい。
【００１５】
蒸気流路は、蒸気生成チャンバからの蒸気の通過のための孔を含んでよく、孔は、第１の向き及び第２の向きにおいてスケール収集チャンバへの開口の上方で離間させられてよい。
【００１６】
開口の上方に孔を有することによって、水及びスケールが表面を下って移動して蒸気流路を通じて蒸気生成チャンバから出る可能性が減少させられる。
【００１７】
任意的に、蒸気流路は、スケール収集チャンバへの開口の上で蒸気生成チャンバ内に突出してよく、蒸気流路は、孔が設けられる端面で終端してよい。
【００１８】
蒸気流路を開口の上で蒸気生成チャンバ内に延ばすことによって、手持ち式の衣類スチーマが傾けられるときにスケールがスケール収集チャンバから出て孔内に移動する可能性が有意に減少させられる。
【００１９】
好ましくは、蒸気流路は、蒸気から水滴を分離するように構成されてよい。
【００２０】
例えば、蒸気流路の少なくとも一部は、曲がりくねっていてよい。曲がりくねった経路は、蒸気によって運ばれる水滴を捕捉するのに役立つ。
【００２１】
任意的に、蒸気流路を形成する壁は、表面を加熱するヒータによって加熱されてよい。ヒータと蒸気流路の壁とを連結する中間区画(intermediate  section)があってよく、中間区画は、ヒータから蒸気流路の壁に熱を伝えるように構成されてよい。
【００２２】
代替的に、器具は、蒸気流路の壁を加熱する別個のヒータを含んでよい。これは水が蒸気流路に沿って凝縮する可能性を減少させる。更に、蒸気流路を加熱することは、凝縮する水を蒸発させる。これは蒸気通孔から放出される蒸気内に存在する水滴を減少させるのを保証するのにも役立つ。
【００２３】
蒸気流路の突起及び加熱される曲がりくねった蒸気流路は、水平方向の蒸気処理における使用に適した手持ち式のスチーマを可能にする。蒸気チャンバ内への蒸気流路の突出は、液状の水が蒸気生成チャンバから蒸気通孔に漏れ出る可能性を減少させる。曲がりくねった蒸気通孔の加熱は、蒸気流路内に入るあらゆる水を蒸発させるのに役立つ。
【００２４】
任意的に、手持ち式の衣類スチーマは、それが最大９０度の角度を通じて傾けられるときに第１の向きから第２の向きに移動するように構成されてよい。
【００２５】
従って、手持ち式の衣類スチーマは、ユーザにとって快適な動作範囲内で効果的に使用されることができ、ユーザにとって快適な動作範囲内で効果的に機能する。
【００２６】
好ましくは、スケール収集チャンバは、表面の一端に配置される。本明細書において記載するとき、「端」は、例えば、側壁から１０ｍｍ内の端部分を指すことがある。
【００２７】
従って、スケールは、手持ち式の衣類スチーマが第２の向きにあるときに、スケール収集チャンバに入るに過ぎない。これはユーザが器具を第２の向きに導いて全てのスケールがスケール収集チャンバ内に入ることを保証し得ることを意味する。スケール収集チャンバを表面の一端に配置させることによって、スケール収集チャンバの開口に達する前に、第１の向き又は第２の向きの間に表面に送られる水が移動する距離を最大にすることができる。
【００２８】
好ましくは、スケール収集チャンバは、スケール収集チャンバ内に収集されるスケールを捕捉して、衣類スチーマが第１の向きと第２の向きとの間で傾けられるときにスケールがスケール収集チャンバから漏れ出すのを防止するように構成される。
【００２９】
従って、スケールがひとたび収集されると、スケールは、衣類の上に噴出されよう、蒸気生成チャンバから漏れ出し得ない。これは衣類が処理されるときにスケールが衣類に染みを付けることを防止するのに役立つ。
【００３０】
任意的に、スケール収集チャンバは、表面に対して９０度未満の角度を形成する壁を有してよい。換言すれば、壁は、増大する深さを伴って、対向する壁から離れる方向に延びる或いは発散する。
【００３１】
表面に対して９０度未満に角度付けられた壁を有するスケール収集チャンバは、スケール収集チャンバの容積を減少させる。更に、水平に対して９０度未満である張出壁は、スケール又は水が壁に沿って移動するのを防止するのに役立つ。従って、スケール収集チャンバは、より多くのスケール及び／又は水を保持することができ、或いは、スケールの一部がスケール収集チャンバから漏れ出す程にスケール収集チャンバが一杯になる前に、より大きな角度範囲を通じて傾斜させられることができる。
【００３２】
任意的に、スケール収集チャンバは、スケール収集チャンバ内に収集されるスケールがスケール収集チャンバから漏れ出すのを防止する、障壁要素を含んでよい。
【００３３】
障壁要素は、スケール又は水がスケール収集チャンバから出るのを止める物理的な障壁をもたらす。それは、スケールの一部がスケール収集チャンバから漏れ出す程にスケール収集チャンバが一杯になる前に、スケール収集チャンバ内に貯蔵することができるスケール及び／又は水の量も増大させる。
【００３４】
任意的に、スケール収集チャンバは、取り外し可能であってよい。
【００３５】
従って、スケール収集チャンバがひとたび一杯になると、スケール収集チャンバを取り外すことができ、空にすることができ、再装着することができる。これは手持ち式の衣類スチーマの寿命を伸ばす。更に、完全な新しい手持ち式の衣類スチーマを購入する代わりに、スケール収集チャンバを交換することができ、それは消費者の金銭を節約する。
【００３６】
好ましくは、表面は、平面的であってよく、或いはパターン化されてよい。
【００３７】
平面的な表面は、水が薄膜を形成するのを促進し、それは水が蒸発する可能性を増大させる。更に、より多くの水が表面に送られるときに熱衝撃によって砕かれることができるスケールの薄膜のみが形成される。平面的な表面は、スケールが付着するのも困難である。
【００３８】
好ましくは、手持ち式の衣類スチーマは、表面に水を送る水入口を含んでよい。
【００３９】
水入口は、スケール収集チャンバが第１の向きにあるときに、水がスケール収集チャンバから離れる方向に表面の全長を流れることができ、次に、スケール収集チャンバが第２の向きに傾けられるときに、スケール収集チャンバに向かって表面の全長を戻ることができるときに、水経路の長さが最大にされるように配置されてよい。これは水が蒸発してスケールのみがスケール収集チャンバに入る可能性を増大させる。
【００４０】
手持ち式の衣類スチーマは、好ましくは、貯水槽を含む。水貯槽は、取り外し可能であってよい。手持ち式の衣類スチーマは、貯水槽から水入口に水を導くポンプを含む。
【００４１】
本発明の他の態様によれば、本発明に従った手持ち式の衣類スチーマと、蒸気処理されるべき衣類を掛けるスタンドと、蒸気への変換のために手持ち式の衣類スチーマに水を供給する貯水槽とを含む、衣類蒸気処理システム（衣類スチーミングシステム）が提供される。
【００４２】
本発明のこれらの態様及び他の態様は、以下に記載する実施形態を参照して明らかであり、それらを参照して解明されるであろう。
【００４３】
次に、添付の図面を参照して、本発明の実施形態をほんの一例として記載する。
【図面の簡単な説明】
【００４４】
【図１】本発明に従った手持ち式の衣類スチーマの第１の向き及び第２の向きの側面図を示しており、蒸気生成チャンバ及びスケール収集チャンバを示すようにハウジング部分の区画が取り除かれている。
【図２】図１の蒸気生成チャンバの斜視図を示しており、その蓋は取り外されている。
【図３】図１のスケール収集チャンバを示すために長手方向に切断した図２の蒸気生成チャンバの斜視図を示している。
【図４】図１乃至図３の手持ち式の衣類スチーマを含む衣類蒸気処理システムを示している。
【図５】図１乃至図４の蒸気生成チャンバの正面斜視図を示しており、手持ち式の衣類スチーマの処理面が取り除かれている。
【図６】図５の蒸気生成チャンバの正面斜視図を示しており、手持ち式の衣類スチーマの処理面は所定の場所にある。
【図７】図１乃至図５に示す蒸気生成チャンバ及びスケール収集チャンバの実施形態の概略的な側断面図を示している。
【図８】蒸気生成チャンバ及びスケール生成チャンバの第２の実施形態の概略的な側断面図を示している。
【図９】手持ち式の衣類スチーマの第１及び第２の向きの側面図を示しており、蒸気生成チャンバ及びスケール生成チャンバの第３の実施形態を示すためにハウジング部分の区画が取り除かれている。
【図１０】図９に示す蒸気生成チャンバ及びスケール収集チャンバの実施形態の概略的な側断面図を示している。
【図１１】蒸気生成チャンバ及びスケール収集チャンバの第４の実施形態の概略的な側断面図を示している。
【図１２】内蔵貯水槽を備える手持ち式の衣類スチーマの概略的な側断面図を示している。
【発明を実施するための形態】
【００４５】
図面を参照すると、表面９を含む蒸気生成チャンバ５と、表面９に送られる水が蒸気（スチーム）に変換されるよう表面９を加熱するヒータ１０と、開口２５を有するスケール収集チャンバ１４とを含む、手持ち式の衣類スチーマ１(garment  steamer)が提供されている。表面９及び開口２５は、互いに対して位置決めされており、表面９及び開口２５は、衣類スチーマ１が、第１の向きＡ、即ち、表面９が開口２５から離れる方向に下向きに延びる第１の向きＡに保持されると、表面９に送られる水が、表面９から蒸発させられるよう、開口２５から離れる方向に流れ、衣類スチーマ１が、第２の向きＢ、即ち、表面９が開口２５に向かって下向きに延びる第２の向きＢに傾けられると、表面９から除去されるスケール(湯垢)(scale)が、開口２５を通じてスケール収集チャンバ１４内に入るように、構成される。スケール収集チャンバ１４は、第１の向きＡ及び第２の向きＢの両方において蒸気生成チャンバ５の下方に配置される。
【００４６】
図１を参照すると、手持ち式の衣類スチーマ１は、矢印Ｓによって示す蒸気処理ストローク(steaming  stroke)の始まりで示されている。手持ち式の衣類スチーマ１は、手持ち式の衣類スチーマ１が矢印Ａによって示すその第１の向きにあるストロークの頂部で、蒸気処理ストロークＳを開始する。手持ち式の衣類スチーマ１は、蒸気処理ストロークＳの終わりに近接する、矢印Ｂによって示す第２の向きに向かう蒸気処理ストロークＳに沿って移動させられる。手持ち式の衣類スチーマ１は、蒸気処理ストロークＳの頂部での第１の向きＡから蒸気処理ストロークＳの底部でのその第２の向きＢへのその移行中に、ユーザがストロークＳの持続時間中に快適であるよう回転させられる。
【００４７】
任意的に、手持ち式の衣類スチーマ１は、ハンドル部分３を有するハウジング２を含んでよい。ハンドル部分３は、使用中にユーザが手持ち式の衣類スチーマ１を容易に握ることがあるように構成される。ハンドル部分３は、人間工学的に構成されてよい。好ましくは、ハンドル部分３に対するハウジング２の反対側の端には、処理されるべき布地に近接して又はその上に配置されるように構成される処理面４がある。図１に示すように、処理面４は、それが第１の向きＡにおいて実質的に垂直であるように配置され、処理面４が垂直に対してある角度に位置付けられる第２の向きＢに達するよう、最大９０度の角度を通じて回転される。
【００４８】
図１では、第１の向きＡ及び第２の向きＢの両方において手持ち式の衣類スチーマ１のハウジング２の内側に配置されるコンポーネント（構成部品）の構成の側面図を示すよう、ハウジング２の一部が取り除かれている。手持ち式の衣類スチーマ１は、蒸気生成チャンバ５を含む。
【００４９】
蒸気生成チャンバ５は、手持ち式の衣類スチーマ１が蒸気ストロークＳ(steam  stroke)に沿って第１の向きＡから第２の向きＢに移動させられるときに、蒸気生成チャンバ５が水平を通じて回転させられるよう、処理面４に対してある角度に延びている。
【００５０】
１つの実施形態において、蒸気生成チャンバ５は、底壁６と、側壁７と、頂壁８とを含む。側壁７は、底壁６から垂直に延び、底壁６の周りに延在する。頂壁８は、以下により詳細に記載するように、蒸気生成チャンバ５を閉鎖する蓋を形成する。
【００５１】
蒸気生成チャンバ５は、図２に示す表面９を更に含む。表面９は、底壁６の頂面であり、蒸気生成チャンバ５内に面する。表面９は、蒸気生成チャンバ５内に送られる水を受けるように構成される。
【００５２】
任意的に、手持ち式の衣類スチーマ１は、ヒータ１０を更に含む。ヒータ１０は、図３に示す加熱要素１１と、電源（図示せず）を加熱要素１１に接続する端子１２とを含む。加熱要素１１は、蒸気生成チャンバ５の底壁６に埋め込まれている。ヒータ１０は、蒸気生成チャンバ５の表面９に送られる水が蒸発して蒸気となるように、蒸気生成チャンバ５の図２及び図３に示す表面９を加熱するように構成される。電源は、例えば、幹線給電(mains  supply)又は電池であってよいが、これらに限定されない。
【００５３】
図１に示すように、手持ち式の衣類スチーマ１は、蒸発した水から取り残されたスケールを収集するように構成されるスケール収集チャンバ１４を更に含む。本実施形態において、スケール収集チャンバ１４は、蒸気生成チャンバ５の下方に配置され、蒸気生成チャンバ５の表面９の一端に配置されている。図１において、スケール収集チャンバ１４は、蒸気生成チャンバ５の処理面４端に近接している。スケール収集チャンバ１４は、蒸気生成チャンバ５の長手方向軸に対して垂直に延びる長手軸を有する。スケール収集チャンバ１４は、スケール収集チャンバ１４内に収集されるスケールを捕捉して、以下に更に詳細に記載するように、手持ち式の衣類スチーマ１がその第１の向きＡと第２の向きＢとの間で傾けられるときに、スケールがスケール収集チャンバ１４から逃げ出すことを防止するように、構成される。
【００５４】
１つの実施形態において、底壁６は、表面９の温度を測定する温度感知デバイス（図示せず）を更に含んでよい。温度感知デバイスは、表面９の隣に配置されてよく、表面９の対応する温度を得るために制御装置（図示せず）に接続されてよい。制御ユニットは、表面９の温度が水の蒸発温度を少なくとも上回ることを保証するために、例えば、加熱要素１１に給送される電力を調整することによって、表面９の温度を制御するように更に構成されてよい。
【００５５】
ヒータ１０は、オンオフ型のヒータであってもよく、その場合、ヒータ１０は、表面９の温度が所定の値より下に下がるとオンになり、温度が所定の値より上に上がるとオフになる。代替的に、ヒータ１０は、表面９でより一定の温度を維持することができるよう、可変の電力出力を有してよい。このようにして、表面９の温度を十分に高い温度に正確に維持して、水がスケール収集チャンバ１４に到達する前に、表面９に送られる水の全てを蒸発させることができるので、スケール収集チャンバ１４に入る水は全くないか或いは少なくとも極めて少ない。
【００５６】
図１は、手持ち式の衣類スチーマ１が、以下に更に記載するように、蒸気生成チャンバ５の頂部に配置される水入口１５を含むことも示している。
【００５７】
図２では、蒸気生成チャンバ５の内側を見ることができるように（両方とも図１に示す）蒸気生成チャンバ５の頂壁８及びハウジング２を取り外した状態で、手持ち式の衣類スチーマ１を示している。蒸気生成チャンバ５の表面９は、概ね長方形であり且つ平面的である。長方形の表面９は、処理面４から離れる方向に延びるその長辺を有する。表面９は、表面９に送られる水が広がって薄膜を形成して、リブ付き表面上で生じるスケールの堆積を防止することを促進するよう、平面的である。１つの実施形態において、平面的な表面９は、表面９上にスケールが堆積するのを防止するのを助ける非粘着仕上げを更に含む。しかしながら、代替的な実施形態では、表面９の形状は異なってよく、隆起部分又は沈降部分を含んでよいことが、当業者によって理解されるであろう。
【００５８】
図２に示す本実施形態において、蒸気生成チャンバ５の側壁７は、底壁６から垂直に延びている。１つの実施形態において、側壁７は、内側部分１７と、外側部分１８とを含み、外側部分１８は、内側部分１７の周りに境界１９を形成するよう、内側部分１７よりも表面９から更に延びている。内側部分１７は、図１に示す頂壁８を側壁７に固定するネジ（図示せず）を受け入れるように構成される孔２０を含む円筒形部分を含んでよい。頂壁８の形状は、境界１９の側面２２と内側部分１７の頂面２３との間に形成される縁２１（エッジ）に対応する。境界１９及び頂面２３は、蒸気が蒸気生成チャンバ５から望まれない方法で漏れ出すのを防止するために、蒸気生成チャンバ５を封止するのに役立つ。他の実施形態において、頂壁８は、リベット取付けを介して側壁７に固定されてよい。
【００５９】
１つの実施形態において、蒸気生成チャンバ５は、ガスケット（図示せず）を更に含んでよい。ガスケットは、側壁７の内側部分１７の頂面２３に対応する形状に切断され、頂壁８が側壁７上に固定されるときに図１に示す頂壁８と頂壁２３との間に配置され且つ図１に示す頂壁８及び頂壁２３に当接する、シリコンシール材料の薄いシートであってよい。有利には、ガスケットは、蒸気生成チャンバ５内で生成される蒸気が漏出しないことを保証する。代替的な実施形態において、図１に示す蒸気生成チャンバ５の底壁６、底壁７、及び頂壁８は、一体的に形成されてよい。
【００６０】
表面９は、図１及び図７に示す、スケール収集チャンバ１４への入口であり、好ましくは、スケール収集チャンバ１４と同じ表面９の端に配置される、開口２５を含む。即ち、海港２５は、手持ち式の衣類スチーマ１が第１の向きＡにあるときに表面９の頂端にあり、手持ち式の衣類スチーマ１が第２の向きＢにあるときに表面９の底端にある。開口２５は、スケールが表面９からスケール収集チャンバ１４内に通過するのを妨害する、表面９と開口２５との間に段がないよう、平面的な表面９の平面内に少なくとも部分的に存在する。図面に示す実施形態において、開口２５は、実質的に長方形である。しかしながら、代替的な実施形態において、開口２５は、任意の他の形状であってよく、或いは、図８に示すように、例えば、側壁７上で、表面９に対して代替的に配置されてよい。図８において、開口２５は、処理面４に近接する側壁７の部分の上に存在してよい。図７を簡単に参照すると、処理面４と表面９との間の角度Ｘが示されている。角度Ｘは、約４５度〜（約）１６５度の間、好ましくは、約９０度〜約１３０度の間であってよい。処理面４は、表面９に対して移動可能であるように構成されてよい。例えば、手持ち式の蒸気処理デバイス１は、処理面４と表面９との間の角度Ｘを調整する調整機構（図示せず）を有してよい。調整機構は、例えば、ピボット接続であってよいが、これに限定されない。
【００６１】
図１に示す水入口１５は、表面９に水を分配する(dispense)ために蒸気生成チャンバ５の頂壁８にある孔（図示せず）に配置される。水は液滴形態で又は噴霧として表面９に送られることがある。水は水の表面張力及び重力の作用によって薄膜内で広がる。薄膜は蒸発して蒸気を生成し、表面９でスケールを形成させる。１つの実施形態において、水入口１５を介した水の分配は、ユーザによってアクティブ化させられてよい。他の実施形態では、例えば、非限定的に、例えば、方位センサによって示されるような、表面９の向き又は表面９の温度に依存して、水入口１４の流量を制御することができるように、水入口１５は、コントローラ（図示せず）に接続されてよい。１つの実施形態において、手持ち式の衣類スチーマ１が第１の向きＡから第２の向きＢに水平を超えて傾いて、スケール収集チャンバ１４に水が入るのを防止するのを助けるとき、水入口１５は表面９に水を送らない。反対に、表面９が水平から更に傾いて、第１の向きＡになるときには、より多くの水が表面９に送られることがある。
【００６２】
図１に示す水入口１５によって表面９に送られる水は、表面９上のあらゆるスケールを熱衝撃(thermal  shock)によって分解させる(break  up)。水の温度は、表面９によって加熱されるスケールを冷却する。加熱させられた表面９は、表面が乾燥しているときと比較すると、（水が送られた後で）表面が湿っているときに、少なくとも摂氏３０度より低いことがある。スケール９は表面９とは異なる速度で冷えるので、スケール内で応力及びひずみが発生し、それはスケールを崩壊させる(break  apart)。その場合、スケールは、スケール収集チャンバ１４の開口２５に運ばれることができる。
【００６３】
ここで図１及び図２の両方を参照すると、蒸気生成チャンバ５の表面９及びスケール収集チャンバ１４は、手持ち式の衣類スチーマ１が第１の向きＡに位置付けられるときに、水入口１５を通じて表面９に送られる水がスケール収集チャンバ１４への開口２５から離れる方向に表面９を流れ下るよう、表面９がスケール収集チャンバ１４への開口２５から離れる方向に下向きに延びるように、互いに対して位置付けられる。表面９及び開口２５は、手持ち式の衣類スチーマ１が第２の向きに位置付けられるときに、水入口１５を通じて表面９に送られる水がスケール収集チャンバ１４への開口２５に向かう方向に表面９を流れ下るよう、表面９がスケール収集チャンバ１４への開口２５に向かって下向きに延びるようにも、互いに対して位置付けられる。
【００６４】
従って、蒸気処理ストロークＳの間に、手持ち式の衣類スチーマ１が第１の向きＡにあり、表面９でスケール収集チャンバ１４の開口２５から離れる方向に進むとき、水が表面９に送られる。手持ち式の衣類スチーマ１が第２の向きＢになるよう、表面９の勾配が切り替えられるように、蒸気処理ストロークＳが十分に完了させられると、蒸発していない水が開口２５に向かって戻る。これは表面９に送られる水の流路の長さを増大させ、全ての水が蒸発させられてスケール収集チャンバ１４に入らないことを保証するのに役立つ。更に、手持ち式の衣類スチーマ１が第２の向きＢにあるとき、スケールは開口２５に向かい且つ開口２５を通じてスケール収集チャンバ１４内に入る。
【００６５】
ここで図３を参照すると、スケール収集チャンバ１４を示すように長手方向に切断された蒸気生成チャンバ５の斜視図が示されている。本実施形態において、スケール収集チャンバ１４は、処理面４に近接する前壁２６と、後壁２７とを含む。スケール収集チャンバ１４は、２つの側壁を更に含み、それらのうちの１つが図１で見える。任意的に、前壁２６及び後壁２７は、表面９に実質的に平行に延びるスケール収集チャンバ１４の端壁２８に向かって蒸気生成チャンバ５の底壁６にある開口２５から離れる方向に延びる。
【００６６】
前壁２６及び後壁２７のうちの少なくとも一方は、蒸気生成チャンバ５の表面９と９０度未満の角度を形成する。本実施形態では、開口２５からの距離が増加するにつれて前壁２６及び後壁２７が発散するよう、前壁２６及び後壁２７の両方が、反対方向に、表面９と９０度未満の角度を形成する。前壁２６は、処理面４に向かって延びる。後壁２７は、処理面４と平行に又は処理面４から離れる方向に延びる。開口２５からの距離が増大するにつれて、スケール収集チャンバ１４の断面も増大する。従って、スケール収集チャンバ１４の容積は、前壁２６及び後壁２７が開口２５から垂直に延びる実施形態と比較して増大させられる。それは、スケール収集チャンバ１４が一杯になる前に、より多くのスケールを収集することができることを意味する。好ましくは、前壁２６及び後壁２７は、少なくとも約５ｍｍ、好ましくは約１０ｍｍ〜約５０ｍｍの距離だけ、開口２５から離れる方向に延びる。１つの実施形態において、前壁２６及び後壁２７は異なる長さであってよく、或いは異なる対向角度で延在してもよく、端壁２８は表面９に対してある角度で延在してよい。
【００６７】
更に、前壁２６が表面９に対して９０度未満の角度を形成し且つ後壁２７から発散するよう、前壁２６が傾斜させられているときに、前壁２６は、垂直な前壁２６よりも垂直に近接して傾斜させられ、或いは、前壁２６は、手持ち式の衣類スチーマ１が第２の向きＢにあるときに、その内面２９が張出面(overhanging  surface)を形成するよう、垂直を超えて傾斜させられる。従って、スケール又はいずれかの蒸発していない水が前壁２６の内面に沿ってスケール収集チャンバ１４から出て移動する可能性(chance)はより少ない。何故ならば、所与の容積のスケールについて、手持ち式の衣類スチーマ１は、より大きな角度で傾けられなければならないからである。より大きな容積のスケール収集チャンバ１４は、手持ち式の衣類スチーマ１が第２の向きＢにあるときに表面９に対して垂直である前壁２６と比較して、スケールがスケール収集チャンバ１４に入った後にスケール収集チャンバ１４から出ることができる前に、前壁２６が図３に示すように傾けられるときに満杯にされなければならない。
【００６８】
後壁２７が表面９に対して９０度未満の角度を形成し、前壁２６から発散するように、後壁２７が傾斜させられるとき、前壁２６は、垂直な後壁２７よりも垂直に近く傾けられてよく、或いは、前壁２６は、手持ち式の衣類スチーマ１が第１の向きＡにあるときにその内面３０が張出面を形成するよう、垂直を超えて傾けられてよい。従って、スケール又はいずれかの蒸発していない水が後壁２７の内面に沿ってスケール収集チャンバ１４から出て移動する可能性はより少ない。何故ならば、所与の容積のスケールについて、手持ち式の衣類スチーマ１は、より大きな角度で傾けられなければならないからである。より大きな容積のスケール収集チャンバ１４は、手持ち式の衣類スチーマ１が第１の向きＡにあるときに表面に対して垂直である後壁２７と比較して、スケールがスケール収集チャンバ１４に入った後にスケール収集チャンバ１４から出ることができる前に、後壁２７が図３に示すように傾けられるときに一杯にされなければならない。
【００６９】
代替的に、前壁２６及び後壁２７は、少なくとも約５ｍｍ、好ましくは約１０ｍｍ〜約５０ｍｍの距離だけ、開口２５から離れる方向に垂直に下向きに延びて、スケールがスケール収集チャンバ１４に入った後にスケールがスケール収集チャンバ１４から出るのを防止するのに役立つ、十分に深いスケール収集チャンバ１４を創り出すことができる。この代替的な実施形態において、前壁２６及び後壁２７は表面９に対して垂直であるので、その深さはより大きな容積を創り出し、それはスケールがスケール収集チャンバ１４から出ることができる前により多くのスケールが堆積しなければならないことを意味する。他の代替的な実施形態において、スケール収集チャンバ１４は、入口区画（図示せず）を含んでよく、入口区画は表面９から垂直に延び、表面９と概ね平行に表面９の下方に延びる本体（図示せず）を有する。
【００７０】
１つの実施形態において、スケール収集チャンバ１４は、スケール収集チャンバ１４内に収集されるスケール及びいずれかの蒸発していない水がスケール収集チャンバ１４から漏れ出るのを防止するように構成された、障壁要素３２(barrier  element)を更に含んでよい。図３に示すように、障壁要素３２は、前壁２６の内面２９からスケール収集チャンバ１４内に突出する壁である。好ましくは、障壁要素３２は、開口２５の約２０〜約７０％を覆う。障壁要素３２は、図１に見られる１つの側壁から表面９の開口２５に近接する他の側壁に、スケール収集チャンバ１４の前壁２６の幅に沿って延び、それはスケール収集チャンバ１４にスケール収集チャンバ１４から漏れ出ることを防止することができるスケールの量を最大限にさせるのを可能にする。
【００７１】
障壁要素３２は、スケールがスケール収集チャンバ１４に入るのを可能にするが、スケールがひとたび障壁要素３２を通過すると、手持ち式の衣類スチーマ１が第２の向きＢにあるときに、スケールがスケール収集チャンバ１４から出るのを防止するように、構成される。従って、図３に示すように、障壁要素３２は、表面９に対してある角度で前壁２６からスケール収集チャンバ１４の端壁２８に向かって突出する。代替的な実施形態において、後壁２７は、手持ち式の衣類スチーマ１が第１の向きＡにあるときに、スケールがスケール収集チャンバ１４からでるのを防止する、障壁要素３２を含んでよい。他の実施形態では、前壁２６及び後壁２７の両方が、障壁要素３２を含んでよい。
【００７２】
スケール収集チャンバ１４は、蒸気生成チャンバ５から取り外し可能であってよい。これは、スケール収集チャンバ１４が一杯であるときに、ユーザが手持ち式の衣類スチーマ１全体を交換する代わりにスケール収集チャンバ１４を空にすることを可能にする。スケール収集チャンバ１４は、例えば、非限定的に、解放ボタン（図示せず）を有する、図１に示すハウジング２の区画に接続されることがあるので、スケール収集チャンバ１４は、取り外されることがある。スケール収集チャンバ１４は取り外されてよく、洗浄されてよく、再設置されてよく、あるいは、新しいスケール収集チャンバ１４と交換されてよい。
【００７３】
更に、代替的な実施形態において、スケール収集チャンバ１４の端壁２８は、スケール収集チャンバ１４の前壁２６、後壁２７、及び側壁から取り外し可能であってよく、次に、スケール収集チャンバはユーザによって空にされることができ且つ／或いは洗浄されることができる。
【００７４】
スケール収集チャンバ１４は、直接的に加熱されない。しかしながら、スケール収集チャンバ１４は、蒸気生成チャンバ５の底壁６に埋め込まれたヒータ１０への近接性の故に加熱されてもよい。スケール収集チャンバ１４は、例えば、スケール収集チャンバ１４の温度を下げるよう、熱伝導性でない又は表面９よりも熱伝導性でない材料でスケール収集チャンバ１４を形成することによって、表面９から熱的に隔離されてよい。更に他の実施形態において、スケール収集チャンバ１４は、表面９と同じ材料で形成されてよい。そのような実施形態は、表面９とスケール収集チャンバ１４との間に配置される、表面９とスケール収集チャンバ１４とを接合する、熱制限区画（図示せず）を含んでよく、熱制限区画は、表面９からスケール収集チャンバ１４に流れる熱を制限する。全ての又は実質的に全ての水は、スケール収集チャンバ１４に入ることなく表面９で蒸発させられるが、スケール収集チャンバ１４に入る如何なる水も、スケール収集チャンバ１４の温度が十分に高くないと蒸発しない。
【００７５】
ここで図２及び図３の両方を参照すると、手持ち式の衣類スチーマ１は、蒸気流路３４及び蒸気通孔３４Ａを更に含む。蒸気流路３４は、処理面４上の蒸気通孔３４Ａを蒸気発生チャンバ５と接続する。蒸気通孔３４Ａは、蒸気生成チャンバ５内で生成される蒸気を蒸気処理される衣類に向かって噴出させるように構成される。蒸気通孔３４Ａは、蒸気生成チャンバ５の側壁７を通じて処理面４まで貫通して延びる。
【００７６】
蒸気流路３４は、蒸気生成チャンバ５からの蒸気の通過のための孔３５を含む。本実施形態では、孔３５３５は、概ね長方形であるが、それに限定されない。孔３５は、開口２５が表面９の幅に亘って延びるよりも、処理面４に近接して側壁７の幅に亘って更に延びる。図３に見ることができるように、孔３５は、蒸気生成チャンバ５から処理面４まで延びる。孔３５の断面積は処理面４に近づくにつれて増大するので、蒸気はより広い領域に亘って給送される。
【００７７】
図６に示すような代替的な実施形態において、処理面４は、図３に示すように、蒸気が蒸気流路３４を通じて真っ直ぐに噴出させられる代わりに、蒸気流路３４が連通する蒸気通孔３４Ａを含んでよい。当業者へのより良好な例示のために、図６の処理面４は、衣類スチーマ器具の内部を示すために透明にされる。蒸気流路３４は、図５に示すように曲がりくねっていてよい。孔３５に入る蒸気は、曲がりくねった蒸気流路３４に沿って進む。曲がりくねった経路は、蒸気によって運ばれる水滴を捕捉するのに役立つ。更に、流路３４を形成する壁は、ヒータ１０によって加熱されてよい。ヒータ１０と蒸気流路の壁とを連結する中間区画があってよい。中間区画は、ヒータ１０から蒸気流路３４の壁に経津を伝えるように構成されてよい。代替的に、手持ち式の衣類スチーマ１は、蒸気流路３４の壁を加熱する別個のヒータ（図示せず）を含んでよい。これは水が蒸気流路３４に沿って凝縮する可能性を減少させる。更に、蒸気流路３４を加熱することは、凝縮した水を蒸発させる。これは蒸気通孔３４Ａから放出される蒸気中に存在する水滴を減少させるのを保証するのに役立つ。図２及び図３に見ることができるように、蒸気流路３４は、側壁７の一部が開口２５と蒸気流路３４との間に存在するように、第１の向きＡ及び第２の向きＢにおいて処理面に近接する蒸気生成チャンバ５の側壁７にあるスケール収集チャンバ１４への開口２より上方に配置される。
【００７８】
本実施形態において、蒸気流路３４は、スケール収集チャンバ１４への開口２５の上で蒸気生成チャンバ５内に突出する。蒸気流路３４は、孔３５が設けられる端面３７で終端する。蒸気通孔３４は、スケール収集チャンバ１４への開口２５を越えて蒸気生成チャンバ５内に延びてよい。蒸気流路３４は、少なくとも約２ｍｍ、好ましくは少なくとも約５ｍｍだけ蒸気生成チャンバ５内に延びてよく或いは突出してよい。蒸気流路３４の壁は、テーパ状の端を有してよい。１つの実施形態において、蒸気生成チャンバ５内に延びる蒸気流路３４の部分は、壁によって完全に取り囲まれなくてよい。換言すれば、蒸気生成チャンバ５内に延びる蒸気流路３４の部分を定める壁は、孔３５を少なくとも部分的に取り囲めばよい。蒸気流路３４は、それが表面９に対してある角度で側壁７を通じてスチーム生成チャンバ５内に入るように、処理面４に対して実質的に垂直に延びる。ある代替的な実施形態において、蒸気流路３４は表面９と平行に延びてよく、手持ち式の衣類スチーマ１が第１の向きＡにあるときに水平に対してある角度で蒸気を放出してよい。
【００７９】
これは、スケール又は水が、手持ち式の衣類スチーマ１が第２の向きＢにあるときに、図３に示すスケール収集チャンバ１４の前壁２６又は表面９に沿って進み、側壁７を登って、蒸気流路３４内に真っ直ぐ進むのを防止するのに役立つ。代わりに、側壁７を越えて蒸気生成チャンバ５内に延びる蒸気流路３４は、スケール又は水が孔３５を通じて漏れ出すのを防止する。従って、処理される衣服の染み及び湿ったスポットは回避される。
【００８０】
蒸気流路３４の突出及び蒸気通孔３４Ａへの加熱された曲がりくねった経路は、手持ち式の衣類スチーマ１が水平蒸気処理に使用するのに適したものであることを可能にする。水平蒸気処理において、処理面４は、処理面４より上方で蒸気生成チャンバ５と下向きに面し、それは水が蒸気流路３４に入って蒸気通孔３４Ａから漏れ出す可能性を増大させる。蒸気生成チャンバ５内への蒸気流路３４の突出は、液状の水が蒸気生成チャンバ５から蒸気通孔３４Ａに漏れ出す可能性を低減させる。曲がりくねった蒸気流路３４の加熱は、蒸気流路３４に入ったあらゆる水を蒸発させるのに役立つ。故に、水が蒸気通孔３４Ａから漏れ出して衣類に染みを付ける可能性が低減されることがある。
【００８１】
図１〜図３及び図７〜図８において、スケール収集チャンバ１４及び開口２５は、処理面４に近接して蒸気生成チャンバ５の端に位置付けられている。図１〜図３及び図７〜図８に示す実施形態において、蒸気流路３４は、衣類スチーマが第１の向きに保持されているときに蒸気が蒸気流路から衣類に向かって噴出されるように、構成されてよい。
【００８２】
図９に示す実施形態のような、ある代替的な実施形態において、（図９には示されていない）蒸気通孔３４は、手持ち式の衣類スチーマ１が第２の向きＢにあるときに、蒸気を衣類に向かって蒸気を噴出するように、構成されている。これを達成するために、スケール収集チャンバ１４及び開口２５は、図９に示すように、処理面４よりも遠位の蒸気生成チャンバ５の端に位置付けられる。
【００８３】
図１に示す実施形態と同様に、衣類スチーマ１が、表面９が開口２５から離れる方向に下向きに延びる第１の向きＡに保持されると、表面９に送られる水は、海港２５から離れる方向に流れて、表面９から蒸発させられ、衣類スチーマ１が、表面９が開口２５に向かって下向きに延びる第２の向きＢに傾けられると、表面９から取り除かれたスケールは、開口２５を通じてスケール収集チャンバ１４内に落ちる。図１及び図９に示す実施形態の間の相違は、図９において、手持ち式の衣類スチーマが第２の向きＢに保持されるときに、手持ち式の衣類スチーマが蒸気処理ストロークＳの頂部にあることである。
【００８４】
図１０は、海港２５がスチーム生成チャンバ５の遠位端で表面９にある図９に示す実施形態を示している。更に、開口２５は、水入口１５に対する表面９の反対側の端にある。図１１は、海港２５が蒸気生成チャンバ５の側壁７にある、即ち、処理面４に対して遠位にある側壁７の部分にある、他の実施形態を示している。更に他の実施形態において、蒸気通孔３４は、手持ち式の衣類スチーマ１が第１の向き及び第２の向きにあるときに、衣類に向かって蒸気を噴出するように構成されてよい。
【００８５】
手持ち式の衣類スチーマ１は、図１２に示すように、貯水槽３８を含んでよい。貯水槽３８は、取り外し可能であってよい。手持ち式の衣類スチーマ１は、貯水槽３８から水入口１５に水を導くポンプ３０を更に含んでよい。
【００８６】
ここで図４を参照すると、上述のような手持ち式の衣類スチーマ１を含む衣類蒸気処理システム４０(garment  steaming  system)が示されている。衣類蒸気処理システム４０は、蒸気への変換のために水を貯蔵し且つ手持ち式の衣類スチーマ１に供給するための貯槽４２を有するベースユニット４１を更に含む。ベースユニット４１は、ホース４３によって手持ち式の衣類スチーマ１に接続されている。ホース４３はフレキシブルであり、貯槽４２から図１に示す水入口１５に水を供給するための少なくともチューブ（図示せず）を取り囲む。ホース４３は、ヒータ１０に電気を提供する電力ケーブル（図示せず）も支持してよい。衣類蒸気処理システム４０は、蒸気処理されるべき衣類を掛けるためのスタンド４４を更に含む。スタンド４４は、ベースユニット４１から垂直に延びている。スタンド４４は、例えば、フックのような、掛け要素４５を含む。
【００８７】
記載した上記実施形態は例示的であるに過ぎず、本発明の手法アプローチを限定するものでない。本発明は好ましい実施形態を参照して詳細に説明されているが、当業者は、本発明の手法アプローチの精神及び範囲から逸脱することなく、本発明の手法アプローチを修正し或いは均等に置換することができることを理解するであろう。それらも本発明の請求項の保護範囲に入る。請求項において、「含む」という用語は、他の要素又はステップを排除せず、単数形の表現は、複数を排除しない。請求項中の如何なる参照符号も、それらの範囲を限定するもの解釈されてならない。
【図１】
0006457158.tif 000002
【図２】
0006457158.tif 000003
【図３】
0006457158.tif 000004
【図４】
0006457158.tif 000005
【図５】
0006457158.tif 000006
【図６】
0006457158.tif 000007
【図７】
0006457158.tif 000008
【図８】
0006457158.tif 000009
【図９】
0006457158.tif 000010
【図１０】
0006457158.tif 000011
【図１１】
0006457158.tif 000012
【図１２】
0006457158.tif 000013